【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
患者の組織体積の輪郭を形成するための組織位置決めシステムであって、
前記組織体積に係合するように構成される表面を有する、軸方向に変位可能なインターフェースと、
前記変位可能なインターフェースの前記表面に低圧を印加するように構成される低圧源と
を備え、前記低圧は、前記組織体積を前記表面に固着させ、前記軸方向に変位可能なインターフェースは、前記組織体積が前記表面に固着されるとき、前記組織体積を引動かつ伸長させるために付勢される、組織位置決めシステム。
【請求項２】
前記軸方向に変位可能なインターフェースを前記組織体積に向けて延在させるためのばね要素をさらに備える、請求項１に記載の組織位置決めシステム。
【請求項３】
前記ばねは、前記軸方向に変位可能なインターフェースの前記表面が前記組織体積に係合すると延在されるコイルばねを備える、請求項２に記載の組織位置決めシステム。
【請求項４】
前記低圧源は、前記組織体積を引動かつ伸長させるために、前記軸方向に変位可能なインターフェースを付勢する、請求項３に記載の組織位置決めシステム。
【請求項５】
前記組織体積によって係合される側面の反対側の前記変位可能なインターフェースの側面に取り付けられる伸縮自在支持体をさらに備え、前記伸縮自在支持体は、可変体積を有する内部を画定する、請求項１に記載の組織位置決めシステム。
【請求項６】
前記低圧源は、前記可変体積を有する前記内部内で前記低圧を印加するために接続される、請求項５に記載の組織位置決めシステム。
【請求項７】
前記軸方向に変位可能なインターフェースの前記表面が前記組織体積に係合しかつ前記組織体積に対してばね力を印加すると延在されるコイルばね要素を前記伸縮自在支持体の内部容積内にさらに備え、随意に、前記低圧源は、前記コイルばねのばね力に対して前記組織体積を引動かつ伸長させるために十分な力を印加するように構成される、請求項６に記載の組織位置決めシステム。
【請求項８】
前記組織位置決めシステムは、
開口部をその中に伴う水平表面を有する基部であって、前記基部は、腹臥位で前記開口部を通して下垂する乳房を有する前記患者を支持するように構成されている、基部と、
前記基部の下方に配置され、かつ前記開口部を通して下垂する前記乳房を撮像するように構成される撮像デバイスと
をさらに備える、請求項１に記載の組織位置決めシステム。
【請求項９】
前記撮像デバイスは、超音波トランスデューサアレイを備える、請求項８に記載の組織位置決めシステム。
【請求項１０】
前記水平表面内の前記開口部の下方に配置され、かつ超音波が伝達可能な媒体を含有するように構成されるウェルをさらに備え、前記超音波トランスデューサアレイは、前記ウェル内に位置され、かつ前記ウェル内の乳房組織を走査するように構成される、請求項９に記載の組織位置決めシステム。
【請求項１１】
前記撮像デバイスは、前記乳房に外接しかつ前記乳房の上を平行移動するように構成される超音波輪状撮像アレイをさらに備え、随意に、前記撮像デバイスは、前記輪状物が前記乳房上で平行移動されるにつれて前記患者の組織体積が前記超音波輪状撮像アレイに接触しないように、前記乳房を円周方向に拘束するために、前記超音波輪状撮像アレイ上に固着される拘束輪状物をさらに備える、請求項９に記載の組織位置決めシステム。
【請求項１２】
患者の乳房を撮像するための方法であって、
腹臥位で水平表面内の開口部を通して下方に垂下する前記乳房を有する前記患者を位置させることと、
垂直に変位可能なインターフェースの表面を、前記乳房の乳首を取り囲む組織に対して係合させることと、
前記乳房を前記垂直に変位可能なインターフェースに封着するために、前記表面に低圧を印加することと、
前記乳房を伸長させ輪郭を形成するために、前記垂直に変位可能なインターフェースを下方方向に付勢することと、
前記乳房が輪郭形成される状態である間、前記水平表面の下方に配置されるデバイスを用いて前記乳房を撮像することと
を含む、方法。
【請求項１３】
前記撮像することは、超音波撮像を含む、請求項１２に記載の患者の乳房を撮像するための方法。
【請求項１４】
超音波が伝達可能な媒体を含有しかつ前記水平表面内の前記開口部の下方に配置されるウェル内に、前記乳房を浸漬させることをさらに含み、超音波トランスデューサ輪状アレイは、前記ウェル内に位置され、前記乳房を走査するために前記乳房に外接する、請求項１２に記載の患者の乳房を撮像するための方法。
【請求項１５】
前記垂直に変位可能なインターフェースは、前記ウェル内に位置されかつ前記変位可能なインターフェースの下方側面に取り付けられる上端を有する伸縮自在支持体によって支持され、前記伸縮自在支持体は、可変体積を有する内部を画定する、請求項１４に記載の患者の乳房を撮像するための方法。
【請求項１６】
前記低圧源は、前記乳房組織を牽引して前記インターフェース表面に係合させるために、前記伸縮自在支持体の前記内部内に前記低圧を印加するために接続される、請求項１５に記載の患者の乳房を撮像するための方法。
【請求項１７】
前記伸縮自在支持体の内部容積内のコイルばね要素は、係合に先行し、前記垂直に変位可能なインターフェースの表面を前記組織体積に向けて延在する、請求項１６に記載の患者の乳房を撮像するための方法。
【請求項１８】
前記低圧源は、前記コイルばねのばね力に対して前記乳房を引動かつ伸長させるために十分な力を印加する、請求項１７に記載の患者の乳房を撮像するための方法。
【請求項１９】
前記撮像することは、前記乳房に外接し、かつ前記乳房の上を超音波輪状撮像アレイを平行移動させることを含み、随意に、前記超音波輪状撮像アレイは、前記輪状物が前記乳房上で平行移動するにつれて、乳房組織が前記超音波輪状撮像アレイに接触しないように、前記乳房を変位させる拘束輪状物を備える、請求項１２に記載の患者の乳房を撮像するための方法。
【請求項２０】
前記垂直に変位可能なインターフェースは、前記乳房の前記乳輪周辺領域に良好に取り付けられた周辺低圧プレナムを有する、請求項１２に記載の患者の乳房を撮像するための方法。
【手続補正２】
【補正対象書類名】明細書
【補正対象項目名】００２０
【補正方法】変更
【補正の内容】
【００２０】
本明細書に言及される全ての公開文書、特許、および特許出願は、各個々の公開文書、特許、および特許出願が、具体的かつ個別に参照することによって組み込まれると示される場合、同程度が本明細書に参照することによって組み込まれる。
本発明は、例えば、以下を提供する。
（項目１）
患者の組織体積の輪郭を形成するための組織位置決めシステムであって、
前記組織体積に係合するように構成される表面を有する、軸方向に変位可能なインターフェースと、
前記変位可能なインターフェースの前記表面に低圧を印加するように構成される、低圧源と、
を備え、前記低圧は、前記組織体積を前記表面に固着させ、前記軸方向に変位可能なインターフェースは、前記組織体積が前記表面に固着されるとき、前記組織体積を引動かつ伸長させるために付勢される、システム。
（項目２）
前記軸方向に変位可能なインターフェースを前記組織体積に向けて延在させるためのばね要素をさらに備える、項目１に記載の組織位置決めシステム。
（項目３）
前記ばねは、前記軸方向に変位可能なインターフェースの表面が前記組織体積に係合すると延在される、コイルばねを備える、項目２に記載の組織延伸システム。
（項目４）
前記低圧源は、前記組織体積を引動かつ伸長させるために、前記軸方向に変位可能なインターフェースを付勢する、項目３に記載の組織位置決めシステム。
（項目５）
前記組織体積によって係合される側面の反対側の前記変位可能なインターフェースの側面に取り付けられる伸縮自在支持体をさらに備え、前記伸縮自在支持体は、可変体積を有する内部を画定する、項目１に記載の組織位置決めシステム。
（項目６）
前記低圧源は、前記可変体積を有する前記内部内で前記低圧を印加するために接続される、項目５に記載の組織位置決めシステム。
（項目７）
前記軸方向に変位可能なインターフェースの前記表面が、前記組織体積に係合し、かつ前記組織体積に対してばね力を印加すると延在される、前記伸縮自在支持体の前記内部容積内に、コイルばね要素をさらに備える、項目６に記載の組織位置決めシステム。
（項目８）
前記低圧源は、前記コイルばねのばね力に対して前記組織体積を引動かつ伸長させるために十分な力を印加するように構成される、項目７に記載の組織位置決めシステム。
（項目９）
患者の乳房組織体積を走査するためのシステムであって、
開口部をその中に伴う水平表面を有する基部であって、前記基部は、腹臥位で前記開口部を通して下垂する乳房を有する前記患者を支持するように構成されている、基部と、
前記基部の下方に配置され、かつ前記開口部を通して下垂する前記乳房を撮像するように構成される、撮像デバイスと、
前記乳房の乳首を取り囲む組織に係合するように構成される表面を有する、垂直に変位可能なインターフェースと、
前記変位可能なインターフェースの前記表面に低圧を印加するように構成される、低圧源と、
を備え、前記低圧は、前記乳房組織を前記表面に固着させ、前記垂直方向に変位可能なインターフェースは、前記組織体積が前記表面に固着されるとき、前記乳房組織を引動かつ伸長させるために付勢される、システム。
（項目１０）
前記撮像デバイスは、超音波トランスデューサアレイを備える、項目９に記載の患者の乳房組織体積を走査するためのシステム。
（項目１１）
前記水平表面内の前記開口部の下方に配置され、かつ超音波が伝達可能な媒体を含有するように構成されるウェルをさらに備え、前記超音波トランスデューサアレイは、前記ウェル内に位置され、かつ前記ウェル内の乳房組織を走査するように構成される、項目１０に記載の患者の乳房組織体積を走査するためのシステム。
（項目１２）
前記乳房組織によって係合される側面の反対側の前記変位可能なインターフェースの側面に取り付けられ、かつ前記ウェル内に位置される上端を有する、伸縮自在支持体をさらに備え、前記伸縮自在支持体は、可変体積を有する内部を画定する、項目１１に記載の患者の乳房組織体積を走査するためのシステム。
（項目１３）
前記低圧源は、前記乳房組織を牽引し、前記インターフェースに係合させるために前記伸縮自在支持体の前記内部内に前記低圧を印加するために接続される、項目１２に記載の患者の乳房組織体積を走査するためのシステム。
（項目１４）
前記軸方向に変位可能なインターフェースの前記表面が、前記乳房組織に係合し、その後、前記乳房組織に張力を印加すると延在される、前記伸縮自在支持体の前記内部容積内にコイルばね要素をさらに備える、項目１３に記載の患者の乳房組織体積を走査するためのシステム。
（項目１５）
前記低圧源は、前記コイルばねのばね力に対して前記乳房組織を引動かつ伸長させるために十分な力を印加するように構成される、項目１４に記載の患者の乳房組織体積を走査するためのシステム。
（項目１６）
前記低圧源は、前記圧縮ばねのばね力に対して前記組織体積を引動かつ伸長させるために十分な力を印加するように構成される、項目１５に記載の患者の乳房組織体積を走査するためのシステム。
（項目１７）
前記撮像デバイスは、前記乳房に外接し、かつその上を平行移動するように構成される、超音波輪状撮像アレイをさらに備える、項目１０に記載の患者の乳房組織体積を走査するためのシステム。
（項目１８）
前記撮像デバイスは、前記輪状物が前記乳房上で平行移動されるにつれて乳房組織が前記超音波輪状撮像アレイに接触しないように、前記乳房を円周方向に拘束するために、前記超音波輪状撮像アレイ上に固着される拘束輪状物をさらに備える、項目１６に記載の患者の乳房組織体積を走査するためのシステム。
（項目１９）
患者の乳房を撮像するための方法であって、
腹臥位で水平表面内の開口部を通して下方に垂下する乳房を有する前記患者を位置させるステップと、
垂直に変位可能なインターフェースの表面を、前記乳房の乳首を取り囲む組織に対して係合させるステップと、
前記乳房を前記垂直に変位可能なインターフェースに封着するために、前記表面に低圧を印加するステップと、
前記乳房を伸長させ輪郭を形成するために、前記垂直に変位可能なインターフェースを下方方向に付勢するステップと、
前記乳房が、輪郭形成される状態である間、前記水平表面の下方に配置されるデバイスを用いて前記乳房を撮像するステップと、
を含む、方法。
（項目２０）
前記撮像ステップは、超音波撮像を含む、項目１９に記載の患者の乳房を撮像するための方法。
（項目２１）
超音波が伝達可能な媒体を含有し、かつ前記水平表面内の前記開口部の下方に配置されるウェル内に前記乳房を浸漬させるステップをさらに含み、超音波トランスデューサ輪状アレイは、前記ウェル内に位置され、前記乳房を走査するために前記乳房に外接する、項目１９に記載の患者の乳房を撮像するための方法。
（項目２２）
前記垂直に変位可能なインターフェースは、前記ウェル内に位置され、かつ前記変位可能なインターフェースの下方側面に取り付けられる上端を有する伸縮自在支持体によって支持され、前記伸縮自在支持体は、可変体積を有する内部を画定する、項目２１に記載の患者の乳房を撮像するための方法。
（項目２３）
前記低圧源は、前記乳房組織を牽引し、前記インターフェース表面に係合させるために、前記伸縮自在支持体の前記内部内に前記低圧を印加するために接続される、項目１９に記載の患者の乳房を撮像するための方法。
（項目２４）
前記伸縮自在支持体の前記内部容積内のコイルばね要素は、係合に先行し、前記垂直に変位可能なインターフェースの表面を前記組織体積に向けて延在する、項目２３に記載の患者の乳房を撮像するための方法。
（項目２５）
前記低圧源は、前記コイルばねのばね力に対して前記組織体積を引動かつ伸長させるために十分な力を印加する、項目２４に記載の患者の乳房を撮像するための方法。
（項目２６）
前記撮像ステップは、前記乳房に外接し、かつその上を超音波輪状撮像アレイを平行移動するステップを含む、項目１９に記載の患者の乳房を撮像するための方法。
（項目２７）
前記超音波輪状撮像アレイは、前記輪状物が前記乳房上で平行移動するにつれて、乳房組織が前記超音波輪状撮像アレイに接触しないように、前記乳房を変位させる拘束輪状物を備える、項目２６に記載の患者の乳房を撮像するための方法。
（項目２８）
前記垂直に変位可能なインターフェースは、前記乳房の前記乳輪周辺領域に良好に取り付けられた周辺低圧プレナムを有する、項目２６に記載の患者の乳房を撮像するための方法。